(57)【要約】  医療情報入力装置１０において、表示制御部１２は、医療行為に関する情報を入力するための第１入力画面と、学術研究に関する情報を入力するための第２入力画面とを生成する。記録部４４は、第１入力画面および第２入力画面から入力された情報を記録する。条件保持部３８は、第２入力画面を生成する条件を保持する。表示制御部１２が第１入力画面を生成している状態において、判定部１４が、条件保持部３８に保持された条件が満たされていることを判定すると、表示制御部１２は、第１入力画面上に生成されている所定のボタンが押されたことを条件として、第２入力画面を生成する。なお表示制御部１２は、判定部１４が、条件保持部に保持された条件が満たされていることを判定すると、第２入力画面を表示するための表示ボタンを生成する。
2013018300.tif 000002
【特許請求の範囲】
【請求項１】
医療行為に関する情報を入力するための第１入力画面と、学術研究に関する情報を入力するための第２入力画面とを生成する表示制御部と、
第１入力画面および第２入力画面から入力された情報を記録する記録部と、
第２入力画面を生成する条件を保持する条件保持部と、
前記条件保持部に保持された条件が満たされたか否かを判定する判定部と、を備え、
前記表示制御部が第１入力画面を生成している状態において、前記判定部が、前記条件保持部に保持された条件が満たされていることを判定すると、前記表示制御部は、第１入力画面上に生成されている所定のボタンが押されたことを条件として、第２入力画面を生成することを特徴とする医療情報入力装置。
【請求項２】
前記表示制御部は、前記判定部が、前記条件保持部に保持された条件が満たされていることを判定すると、第２入力画面を表示するための表示ボタンを生成することを特徴とする請求項１に記載の医療情報入力装置。
【請求項３】
前記判定部は、前記第１入力画面から入力された情報が前記条件保持部に保持された条件を満たすか否かを判定することを特徴とする請求項１または２に記載の医療情報入力装置。
【請求項４】
第１入力画面または第２入力画面のいずれか一方に入力された情報を、他方の入力情報として処理することを特徴とする連携処理部をさらに備えることを特徴とする請求項１から３のいずれかに記載の医療情報入力装置。
【請求項５】
第１入力画面の入力項目と、第２入力画面の入力項目とを対応付けた連携設定テーブルをさらに備え、
前記連携処理部は、連携設定テーブルを参照して、第１入力画面または第２入力画面のいずれか一方に入力された情報を、他方の入力情報として処理することを特徴とする請求項４に記載の医療情報入力装置。
【発明の詳細な説明】
【技術分野】
【０００１】
本発明は、検査などの実施データの入力支援技術に関する。
【背景技術】
【０００２】
データ入力の操作性を向上させるために、２つのディスプレイ装置を用意し、イメージ表示手段が、伝達された伝票イメージデータを第１のディスプレイ装置に表示し、入力画面制御手段が、伝達された付随データをキーとして画面表示テーブルから当該の伝票に適したデータ入力画面を検索して、データ入力画面を第２のディスプレイ装置に表示する技術が提案されている（たとえば、特許文献１参照）。
【先行技術文献】
【特許文献】
【０００３】
【特許文献１】特開平１１−２２４３０２号公報
【発明の概要】
【発明が解決しようとする課題】
【０００４】
医療技術の発展を目的として、複数の病院や機関などの医療施設が連携して研究テーマを設定し、共同して学術研究を行うことがある。複数の医療施設が、数多くの患者の診断情報を集めることで、統計データの信頼性を高めることができるとともに、多くの医師による議論の場が提供される。複数の医療施設からのデータを効率的に収集するために、学術研究に参画する医療施設は、学術研究用のデータ入力画面を生成するためのプログラムをシステムにインストールし、医師などの医療従事者が、学術研究に必要なデータを漏れなく入力できるような環境が整えられる。【０００５】
医師は日常的に、検査や診断を行うと、その記録をレポートとしてまとめる作業を行っている。そのため、学術研究の対象となる検査等を行った医師は、日次検査業務のデータ入力画面に検査記録を入力してレポートを作成した後、改めて学術研究用のデータ入力画面を起動して、学術研究用の検査記録を入力する必要がある。【０００６】
しかしながら、よく知られているように、医師は多忙を極めていることが多く、学術研究用のデータ入力画面の起動を、つい忘れてしまうことがある。そのため、医師が日次の検査記録を入力する際に、学術研究用のデータの入力を忘れないようにする仕組みを提供できることが好ましい。また、学術研究と日常業務で作成する診療録は一般に同一ではないが、一部のデータについては重複していることもある。そのため、双方の診療録に矛盾が生じないような入力の仕組みを提供できることが好ましい。【０００７】
本発明はこうした状況に鑑みなされたものであり、その目的は、検査などの実施データを効率的に入力できる技術を提供することにある。
【課題を解決するための手段】
【０００８】
上記課題を解決するために、本発明のある態様の医療情報入力装置は、医療行為に関する情報を入力するための第１入力画面と、学術研究に関する情報を入力するための第２入力画面とを生成する表示制御部と、第１入力画面および第２入力画面から入力された情報を記録する記録部と、第２入力画面を生成する条件を保持する条件保持部と、条件保持部に保持された条件が満たされたか否かを判定する判定部と、を備える。表示制御部が第１入力画面を生成している状態において、判定部が、条件保持部に保持された条件が満たされていることを判定すると、表示制御部は、第１入力画面上に生成されている所定のボタンが押されたことを条件として、第２入力画面を生成する。【０００９】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１０】
本発明によれば、検査などの実施データを効率的に入力できる技術を提供することができる。
【図面の簡単な説明】
【００１１】
【図１】本発明の実施例における学術研究実行システムの全体構成を示す図である。
【図２】医療情報入力装置の構成を示す図である。
【図３】内視鏡検査システムのシステム起動・終了画面を示す図である。
【図４】検査業務メイン画面を示す図である。
【図５】レポート未登録検査一覧画面を示す図である。
【図６】レポート入力画面を示す図である。
【図７】研究データ入力画面を示す図である。
【図８】研究データ入力画面の表示ボタンが生成されたレポート入力画面を示す図である。
【図９】学術研究テーマの選択ウィンドウを示す図である。
【図１０】学術研究テーマの選択ウィンドウの別の例を示す図である。
【図１１】学術研究用のマスタデータと、内視鏡検査のマスタデータとを連携させるためのＧＵＩの例を示す図である。
【図１２】マスタデータの項目同士を関連付けた例を示す図である。
【図１３】レポート入力中に表示される選択ウィンドウを示す図である。
【図１４】選択ウィンドウ内の項目が選択された様子を示す図である。
【図１５】研究データ入力画面を示す図である。
【発明を実施するための形態】
【００１２】
図１は、本発明の実施例における学術研究実行システム１の全体構成を示す。学術研究実行システム１においては、学術研究の情報を統括的に管理する学術研究情報管理サーバ４と、学術研究に参画する学術研究参画施設６ａ〜６ｃ（以下、区別しない場合には「学術研究参画施設６」と呼ぶ）が存在する。学術研究情報管理サーバ４は、学術研究に利用するマスタデータを各学術研究参画施設６に提供し、また学術研究参画施設６で収集された実施データを集計して統計処理を行う。各学術研究参画施設６ａ〜６ｃは、学術研究に利用する実施データを入力して収集する医療情報入力装置１０ａ〜１０ｃ（以下、区別しない場合には「医療情報入力装置１０」と呼ぶ）を備える。
【００１３】
学術研究情報管理サーバ４と、医療情報入力装置１０とは、インターネットなどのネットワーク２を介して、データのやりとりを可能とする。学術研究情報管理サーバ４は、学術研究用のデータ入力画面を生成するためのプログラム、学術研究用のデータ入力画面を生成するための条件、また学術研究で収集するデータを定義したマスタデータを、ネットワーク２経由で各医療情報入力装置１０に送信する。なお、学術研究実行システム１において、学術研究情報管理サーバ４と医療情報入力装置１０とがネットワーク２を介して接続していることは必須の要件ではなく、学術研究用のデータ入力画面を生成するプログラムなどは、持ち運び可能な記録媒体に記録されて、オフラインで医療情報入力装置１０に提供されてもよい。
【００１４】
図２は、医療情報入力装置１０の構成を示す。医療情報入力装置１０は、表示制御部１２、判定部１４、入力受付部１６、テーブル作成部１８、連携処理部２０、取得部２２、条件設定部２４、ディスプレイ２８および記録部４４を備える。医療情報入力装置１０のそれぞれの構成は、ハードウェア的には、任意のプロセッサ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
【００１５】
医療情報入力装置１０は、医師等の医療関係者（以下、「医療従事者」とよぶ）が日次の検査業務を記録するためのレポート入力画面を生成して、医療従事者が入力した検査等の実施データを記録する機能を有している。この機能は、「レポート入力機能」と呼ばれ、医療行為の結果を記録するために、医療情報入力装置１０に基本機能として搭載されている。本実施例の医療情報入力装置１０は、さらに、学術研究用のデータを記録するためのデータ入力画面を生成して、医療従事者が入力したデータを記録する機能も有している。
【００１６】
最初に、基本機能として位置づけられるレポート入力機能に関する画面遷移を、図３〜図６を参照して説明する。表示制御部１２は、検査データ入力画面生成プログラム３０を実行して各画面を生成し、ディスプレイ２８に表示する。なお、本実施例では、医療情報入力装置１０が内視鏡検査システムに組み込まれ、医療従事者が、医療行為として内視鏡検査を行う場合を説明するが、医療行為の種類としては、他の種類の検査や手術であってもよい。
【００１７】
図３は、内視鏡検査システムのシステム起動・終了画面５１を示す。システム起動・終了画面５１においては、検査業務アイコン５２、カンファレンスアイコン５３、統計・履歴アイコン５４、管理機能アイコン５５が表示される。医療従事者が、ユーザＩＤとパスワードを入力して、ログインすると、各アイコンに対応する機能が起動可能となる。なお医療従事者が終了ボタン５０を選択すると、システムが終了する。
【００１８】
「検査業務」機能は、通常の内視鏡検査業務で使用する機能である。患者受付、前処置実施入力、撮影、実施入力、レポート入力などの一連の検査業務を行うことができる。
「カンファレンス」機能は、検査を検索し、検査画像の供覧、検査レポートの供覧・編集を行うことができる。
「統計・履歴」機能は、各種データ集計（月報、年報、実施一覧（日報）、自由項目設定によるデータ一覧）、およびスコープ使用履歴、フォローアップが必要な検査の検索を行うことができる。
「管理機能」は、システム管理者が操作する機能であり、その実行にはアクセス制限が課される。本システムで使用する各種設定や、オーダの照合・統合、送信ログ表示などを行うことができる。
【００１９】
図４は、検査業務メイン画面５８を示す。図３のシステム起動・終了画面５１において、医療従事者が検査業務アイコン５２を選択すると、図４に示す検査業務メイン画面５８が起動する。画面左には、検査業務に対応したアイコンが並べられ、医療従事者が選択することで、対応する画面が起動するようになっている。画面左には、患者受付アイコン５９、前処置入力アイコン６０、撮影アイコン６１、実施入力アイコン６２、レポート入力アイコン６３、検査状況一覧アイコン６４、検査オーダボタン６５が配置される。
【００２０】
図５は、レポート未登録検査一覧画面７２を示す。図４の検査業務メイン画面５８において、医療従事者がレポート入力アイコン６３を選択すると、図５に示すレポート未登録検査一覧画面７２が起動する。レポート未登録検査一覧画面７２には、レポート入力を行っていない患者の検査一覧７３が表示される。検査一覧７３には、レポート未作成の検査を特定するための情報が示され、図示されるように、検査時間、患者ＩＤ、患者名、入／外（入院患者か外来患者かを特定する情報）、検査項目が表示されている。医療従事者は、これらの情報をもとに、これからレポートを作成する検査を選択する。
【００２１】
図６は、レポート入力画面１００を示す。図５に示すレポート未登録検査一覧画面９２において、医療従事者が検査（患者）を選択すると、図６に示すレポート入力画面１００が開かれる。ここでは、患者「ヤマダタロウ」の検査を選択しており、レポート入力画面１００の左欄に、患者「ヤマダタロウ」に対して行った検査に紐付けされている患者情報および検査情報が表示される。患者情報は、患者データベース（図示せず）から読み出され、また検査情報は、選択された検査のＩＤをキーとして、検査情報データベース（図示せず）から読み出されて、レポート入力画面１００の左欄に入力される。
【００２２】
レポート入力画面１００の右欄には、レポート入力する人体の臓器名として、「食道」、「胃」、「十二指腸」の３つの部位が表示されている。図６に示すように、レポート入力画面１００には、人体の部位ごとに所見内容、診断内容、処置内容を入力させる領域と、総合診断の内容を入力させる領域、さらに各種コメント／使用スコープ／追加項目を入力させる領域が存在する。
【００２３】
医療従事者は、内視鏡で検査した部位（食道、胃、十二指腸）を選択し、その部位に関する所見内容、診断内容、処置内容を入力する。また、医療従事者は、「総合診断」を選択して、総合診断の内容を入力する。さらに医療従事者は、「各種コメント／使用スコープ／追加項目」を選択して、予め設定されている項目にしたがって、必要な事項を入力する。たとえば、「各種コメント／使用スコープ／追加項目」には、検査目的を登録するための入力項目が含まれる。レポート入力画面１００において、入力受付部１６は、医療従事者からの入力を受け付けると、受け付けた情報を、レポートを構成するデータとしてレポート記録部３４に記録する。医療従事者が登録ボタン８０を選択すると、入力した内容がレポートとして登録され、レポートの作成が終了する。
【００２４】
以上のように、表示制御部１２が、検査データ入力画面生成プログラム３０を実行すると、左欄に表示する患者情報および検査情報をそれぞれのデータベースから取得して、レポート入力画面１００を生成し、入力受付部１６が、医療従事者からのレポート入力を受け付けてレポート記録部３４に記録することで、レポートが作成される。
【００２５】
本実施例の医療情報入力装置１０は、上記したレポート入力機能に加えて、学術研究データの入力機能も実現する。医療情報入力装置１０において、レポート入力機能と研究データ入力機能とは、互いに連携して実現され、医療従事者が、レポート入力を行う際、または行った後に、学術研究データの入力を円滑に行える仕組みを提供する。また、レポート入力するデータと、学術研究用に入力するデータとが同一ないしは実質的に同一である場合に、一方への入力が、他方の入力としても反映される仕組みを提供する。
【００２６】
以下、医療情報入力装置１０が、学術研究データの入力機能を実現するための前提について説明する。
取得部２２が、学術研究情報管理サーバ４から、学術研究用のデータ入力画面を生成するためのプログラム、学術研究用のデータ入力画面を生成するための条件、また学術研究で収集するデータを定義したマスタデータを取得し、記録部４４に格納する。記録部４４において、研究データ入力画面生成プログラム３２が記録されている状態が示されており、表示制御部１２が研究データ入力画面生成プログラム３２を実行すると、学術研究用のデータ入力画面が生成されて、ディスプレイ２８に表示される。
【００２７】
条件保持部３８は、学術研究用のデータ入力画面を生成する条件を保持する。この生成条件は、学術研究用のデータ入力画面の生成の可否を決定するために用いられる。本実施例の医療情報入力装置１０は、医療従事者がレポートを作成する際に、学術研究用のデータの入力を支援するものであり、したがって、作成中のレポートに関連のある学術研究については入力支援の対象とする一方で、関連のない学術研究については入力支援の対象とする必要がない。そこで、医療情報入力装置１０は、条件保持部３８に保持される条件を用いて、学術研究用データの入力支援を行う必要があるか否かを決定し、必要がある場合に限って、入力支援を行うようにする。
【００２８】
マスタデータ記録部４２は、学術研究におけるマスタデータを記録する。マスタデータは、学術研究のために収集するデータを構成し、研究データ入力画面生成プログラム３２は、マスタデータ記録部４２に記録されたマスタデータを用いて、学術研究用のデータ入力画面を生成する。
【００２９】
学術研究参画施設６において、複数の学術研究が進行している場合、取得部２２は、学術研究ごとに、学術研究用のデータ入力画面を生成するためのプログラム、条件およびマスタデータを取得し、記録部４４に格納する。なお条件保持部３８において保持される研究データ入力画面の生成条件は、医療情報入力装置１０において編集可能とされてもよい。たとえば学術研究参画施設６に複数の医師が所属している場合、学術研究に参加する医師もいれば、参加しない医師もいる。学術研究情報管理サーバ４において、各学術研究参画施設６ごとに学術研究に参加する医師が特定できていれば、取得部２２が学術研究情報管理サーバ４から取得する条件に、医師を特定する情報が含まれていてもよいが、現実的には学術研究情報管理サーバ４側で把握していない場合も多く、また学術研究に参加する医師は、学術研究参画施設６において流動的に決定されることも多い。そこで、各学術研究参画施設６において、管理者が、条件設定部２４から条件保持部３８に保持されている条件を修正、変更できるようにされる。なお取得部２２は、必ずしも学術研究情報管理サーバ４から学術研究用データ入力画面の生成条件を取得しなくてもよく、この場合は、管理者が、条件設定部２４から条件を設定することになる。
【００３０】
以下では、学術研究の一つとして、「上部内視鏡  萎縮・ＣＡ関連調査」という名称の研究テーマが進行しているものとする。条件保持部３８は、「上部内視鏡  萎縮・ＣＡ関連調査」の研究テーマのデータ入力画面を生成する条件を保持している。研究用データ入力画面の生成条件は、研究テーマに参加する医療従事者に関する条件、および検査に関する条件などに分けられる。
【００３１】
＜医療従事者に関する条件＞
医療従事者に関する条件は、主として医療情報入力装置１０において、学術研究参画施設６の管理者が、条件設定部２４から設定することが多い。
研究用データ入力画面は、学術研究に参加する医療従事者が内視鏡検査システムにログインしているときに起動されることが好ましく、一方で、学術研究に参加していない医療従事者のログイン中に、研究用データ入力画面を起動することは好ましくない。したがって、医療情報入力装置１０の管理者は、条件設定部２４から、学術研究のテーマごとに、参加する医療従事者のＩＤを、研究用データ入力画面の生成条件に含めておく。なお、たとえば医療従事者が有する権限により、データ入力者を分けることも考えられる。たとえば、医師はデータ入力を可能とするが、技師などの補助者はデータ入力を不可とする場合である。このような場合には、医療情報入力装置１０の管理者は、医師に対してはデータ入力を認める一方で、補助者に対してはデータ入力を認めないように、条件設定部２４から画面生成条件を設定する。
【００３２】
医療情報入力装置１０において、医療従事者に関する情報は、図３に示すシステム起動・終了画面５１において入力されるユーザＩＤによって特定される。画面生成条件として医療従事者に関する条件が設定されている場合、判定部１４は、設定されている条件と、ユーザＩＤにより特定される医療従事者名や、医療従事者の権限などに応じて、条件が満たされるか否かを判定する。
【００３３】
＜検査に関する条件＞
検査に関する条件は、学術研究情報管理サーバ４において設定され、複数の学術研究参画施設６に配布される。
検査に関する典型的な条件は、検査種別である。一般に内視鏡検査でいえば、上部内視鏡検査であるか、または下部内視鏡検査であるかの種別が、学術研究のテーマとして決められることが多い。また、特定の症例や診断結果、また患者の性別、年齢など、学術研究のテーマに応じて、様々な検査に関する条件が設定される。判定部１４は、画面生成条件として、検査に関する条件が設定されている場合、レポート入力画面が生成されている状態において、検査に関する条件が満たされているか否かを判定する。
【００３４】
以下、判定部１４による条件判定処理について説明する。
表示制御部１２がレポート入力画面を生成している状態において、判定部１４は、条件保持部３８に保持された条件が満たされているか否かを判定する。レポート入力画面がディスプレイ２８に表示されると、医療従事者は、検査状況や診断結果などを入力して、レポートを作成する。このようにして作成されるレポートには、医療従事者によるデータ入力の前に、レポート入力画面を構成する情報も含まれる。判定部１４は、レポート入力画面を構成する情報、およびレポート入力画面から医療従事者により入力された情報が、条件保持部３８に保持された条件を満たすか否かを判定する。
【００３５】
「レポート入力画面を構成する情報」とは、図６に示すレポート入力画面１００において、左欄に表示されている患者情報および検査情報を含む。レポート入力画面１００の左欄には、患者情報および検査情報が含まれる。患者情報は、患者氏名や性別、また生年月日などを含んでいる。また検査情報は、検査種別、検査項目、検査日時などを含んでいる。条件保持部３８が保持する条件に、患者の性別や年齢などが含まれている場合、判定部１４が、患者情報を参照して、条件が満たされているか否かを判定する。
【００３６】
また「レポート入力画面から入力された情報」とは、図６に示すレポート入力画面１００において、医療従事者が、検査状況や診断結果などの入力情報を含む。つまり、作成するレポートの実質的な内容に相当し、患者の症状や、その進行具合などの情報が含まれる。条件保持部３８が、特定の症状を画面生成条件として保持している場合、医療従事者により、その症状がレポート入力画面１００に入力されると、判定部１４は、その症状に関する画面生成条件が満たされたことを判定する。
【００３７】
図６に示す例で説明すると、条件保持部３８に保持されている条件として、検査項目が上部内視鏡であることが設定されている場合、レポート入力画面１００の左欄に示すように、このレポートの検査項目も、上部内視鏡である。したがって判定部１４は、レポートの検査情報が条件保持部３８に保持されている条件を満たしていることを判定する。なお、たとえば条件保持部３８に保持されている条件として、検査項目が下部内視鏡であることが設定されている場合には、判定部１４は、レポートの検査情報が条件保持部３８に保持されている条件を満たしていないことを判定する。
【００３８】
判定部１４が、条件保持部３８に保持された条件が満たされていることを判定すると、表示制御部１２は、レポート入力画面１００上に生成されている所定のボタンが押されたことを条件として、学術研究用のデータ入力画面を生成する。なお、所定のボタンが押されたことにより、学術研究用のデータ入力画面が直接生成されてもよく、後述するように学術研究テーマの選択ウィンドウを経由して、学術研究用のデータ入力画面が生成されてもよい。図６に示す例では、医療従事者がレポート入力画面１００への検査の実施データの入力を行い、登録ボタン８０を押してレポートの作成が完了したときに、表示制御部１２は、登録ボタン８０の押下を契機として、学術研究用のデータ入力画面を生成する。このように、表示制御部１２は、レポート入力終了であることを示す登録ボタン８０の押下を条件として、関連する学術研究のためのデータ入力画面を自動生成することで、医療従事者は、学術研究用のデータ入力を忘れることなく、日次の業務に連動して、学術研究に必要なデータを入力することができるようになる。
【００３９】
図７は、研究データ入力画面１１０を示す。表示制御部１２は、条件保持部３８に保持された条件が満たされている場合に、登録ボタン８０が押下されると、記録部４４から研究データ入力画面生成プログラム３２を読み出して、実行する。これにより、医療従事者は、レポートの作成が終了するとともに、連続して、学術研究用のデータを研究データ入力画面１１０に入力できるようになる。
このように、レポート入力と、学術研究データの入力とを連動させることで、多忙な医療従事者の業務を円滑に支援することが可能となる。
【００４０】
なお、入力しているレポートに関連して、学術研究用の実施データの入力に対する注意喚起を行うために、表示制御部１２は、登録ボタン８０以外にも、積極的に研究データ入力画面を表示するためのボタンを生成してもよい。
【００４１】
図８は、研究データ入力画面の表示ボタン１２０が生成されたレポート入力画面１００を示す。判定部１４が、条件保持部３８に保持された条件が満たされていることを判定すると、表示制御部１２は、研究データ入力画面１１０を表示するための表示ボタン１２０を、レポート入力画面１００上に生成する。医療従事者は、表示ボタン１２０が表示されていることを確認することで、学術研究用の実施データを入力することを思い出すとともに、表示ボタン１２０を押下することで、研究データ入力画面１１０をディスプレイ２８に表示させることができる。
【００４２】
表示制御部１２は、条件保持部３８に保持された条件が満たされたときに、表示ボタン１２０をレポート入力画面１００上に生成する。したがって、医療従事者が、レポート入力画面１００に実施データを入力している最中に、判定部１４が、入力された実施データが条件保持部３８に保持された画面生成条件を満たしたことを判定すると、表示制御部１２が、そのタイミングで、表示ボタン１２０を生成する。なお、条件保持部３８が複数の学術研究テーマについての画面生成条件を保持しており、レポート入力画面１００が表示されている状態において、複数の学術研究テーマの画面生成条件が満たされているときには、表示制御部１２は、複数の学術研究のためのデータ入力が必要なことを、医療従事者に示すことが好ましい。そのために、たとえば表示ボタン１２０の内部または近傍に、関連する学術研究の数を含ませてもよい。また、該当する学術研究の数だけ、表示ボタン１２０を表示してもよい。また、さらに、表示ボタン１２０の表記を、図示のように一般的な「学術研究」ではなく、学術研究を特定できるような表記に変更して、個々の表示ボタン１２０を生成してもよい。これにより医療従事者は、データ入力を行うべき学術研究テーマの数を知ることができる。
【００４３】
なお、既述したように、表示ボタン１２０が押下された後、研究データ入力画面１１０に直接遷移してもよいが、一度、学術研究テーマの選択ウィンドウが表示されて、医療従事者に、学術研究テーマを選択させた後に、研究データ入力画面１１０に遷移するようにしてもよい。
【００４４】
図９は、学術研究テーマの選択ウィンドウ１２２を示す。この選択ウィンドウ１２２は、図８に示すレポート入力画面１００上に重畳表示されてもよい。選択ウィンドウ１２２においては、右上に「全て表示中」と記されているように、学術研究参画施設６において進行している全ての学術研究テーマの名称が表示されている。なお、作成中のレポートに関連する学術研究テーマ、すなわち判定部１４により画面生成条件が満たされていることが判定された学術研究テーマに対しては、テーマ名称の左側にチェックボックスが作成され、医療従事者は、チェックボックスにチェックを入れることで、学術研究テーマを選択することができる。
【００４５】
図９に示す選択ウィンドウ１２２では、「上部内視鏡  萎縮・ＣＡ関連調査」のテーマが、作成中のレポートに関連しており、したがって、医療従事者が、チェックボックスにチェックを入れてＯＫボタンを押すと、表示制御部１２が、「上部内視鏡  萎縮・ＣＡ関連調査」の研究データ入力画面１１０を生成して、ディスプレイ２８に表示する。なお、複数の学術研究テーマが作成中のレポートに関連する場合には、それぞれのテーマ名称の左側にチェックボックスが作成されるようになる。
【００４６】
図１０は、学術研究テーマの選択ウィンドウ１２４の別の例を示す。この選択ウィンドウ１２４においては、右上に「絞り込み検索中」と表示されているように、作成中のレポートに関連する学術研究テーマ、すなわち判定部１４により画面生成条件が満たされていることが判定された学術研究テーマの名称のみが表示される。選択ウィンドウ１２４には、「上部内視鏡  萎縮・ＣＡ関連調査」のテーマ名称のみが表示されているが、複数の学術研究テーマが作成中のレポートに関連する場合には、それぞれのテーマ名称が表示され、またその左側にチェックボックスが作成される。医療従事者が、チェックボックスにチェックを入れてＯＫボタンを押すと、表示制御部１２が、選択された研究データ入力画面１１０を生成して、ディスプレイ２８に表示する。
【００４７】
以上は、レポート入力画面１００から、研究データ入力画面１１０に遷移する機能について説明した。この機能により、医療従事者は、レポート入力に続いて、学術研究用のデータを忘れることなく入力することができ、医療従事者の業務を効率的に支援することができる。
【００４８】
なお、レポートに入力する日次業務の診療録と、学術研究用に入力する診療録とは、一般に同一ではないが、一部のデータについては重複していることが多い。本実施例の医療情報入力装置１０は、上記したように、レポート入力画面１００の次に、研究データ入力画面１１０を連続してディスプレイ２８に表示し、医療従事者のデータ入力を支援するが、それぞれのデータ入力画面において、同一の入力項目に対して、誤って異なる値が入力されることは好ましくない。そこで、医療情報入力装置１０は、レポート入力画面１００の項目に対して入力された情報を、研究データ入力画面１１０における同一の項目に対して入力された情報として処理する機能をもつ。
【００４９】
なお同一の学術研究参画施設６において、複数の学術研究が進行している場合、学術研究のマスタデータ同士の間でも、重複した項目が存在することがある。そこで、医療情報入力装置１０は、複数の学術研究テーマ同士においても、同一の項目に対して、一方の研究データ入力画面１１０に入力された情報を、他方の研究データ入力画面１１０に対しても入力された情報として処理する機能をもつ。
【００５０】
このデータ連携機能を実現するために、医療情報入力装置１０において、テーブル作成部１８が、複数のマスタデータ間の同一項目を対応付けた連携設定テーブル４０を作成する。
【００５１】
図１１は、学術研究用のマスタデータと、内視鏡検査のマスタデータとを連携させるためのＧＵＩ（Graphical User Interface）の例を示す。マスタデータ記録部４２に、学術研究用のマスタデータが登録された後、マスタデータの関連付け処理を行うことが可能となる。医療従事者は、テーブル作成部１８のＧＵＩ機能を起動して、学術研究用のマスタデータと、内視鏡検査のマスタデータを選択することで、テーブル作成部１８が、図１１に示す連携用ＧＵＩ１２６を生成する。医療従事者は、左欄の「上部内視鏡  萎縮・ＣＡ関連調査」の項目と、右欄の「内視鏡検査  検査目的マスタ」の項目とを選択して、関連付けボタン１２８を押下すると、テーブル作成部１８が、選択された項目同士を関連付ける。
【００５２】
図１２は、マスタデータの項目同士を関連付けた例を示す。医療従事者が、左欄の「上部内視鏡  萎縮・ＣＡ関連調査」の「スクリーニング」項目を選択し、また、右欄の「内視鏡検査  検査目的マスタ」の「スクリーニング」項目とを選択して、関連付けボタン１２８を押下すると、テーブル作成部１８が、選択された項目同士を関連付ける。この関連付けの操作を複数の項目について行った後、ＯＫボタンが押されると、関連付けた項目同士は、連携設定テーブル４０に記録される。なお、関連付けする項目の名称は、それぞれのマスタデータにおいて同じである必要はない。医療用語の中には、統一された名称を用いられていないものもあり、複数の学術研究参画施設６で、異なる名称で呼ばれるものもある。そのため学術研究用のマスタデータで用いられる名称は、各学術研究参画施設６において用いられていないこともあり、図１２に示すＧＵＩ上では、同一の医療用語が、別の表現として左右の欄に表示されることがある。そのため、関連付けを行う医療従事者は、両方のマスタデータにおける表記揺れを吸収して、データ項目の関連付けを行ってよい。
【００５３】
以上の関連付け処理により、レポート入力画面１００の入力項目と、研究データ入力画面１１０の入力項目とを対応付けた連携設定テーブル４０が作成される。各データ入力画面において、入力受付部１６が、データ入力を受け付けると、連携処理部２０は、連携設定テーブル４０を参照して、レポート入力画面１００または研究データ入力画面１１０のいずれか一方に入力された情報を、他方の入力情報として処理する。たとえば、レポート入力画面１００において、ある入力項目に対する情報が入力された場合、連携設定テーブル４０において、その入力項目が研究データ入力画面１１０の入力項目に対応付けられていれば、連携処理部２０は、研究データ入力画面１１０においても、対応付けられた入力項目に対しても同じ情報が入力されたものとして、研究用データ記録部３６に、その情報を記録する。同様に、研究データ入力画面１１０において、ある入力項目に対する情報が入力された場合、連携設定テーブル４０において、その入力項目がレポート入力画面１００の入力項目に対応付けられていれば、連携処理部２０は、レポート入力画面１００においても、対応付けられた入力項目に対しても同じ情報が入力されたものとして、レポート記録部３４に、その情報を記録する。
【００５４】
図１３は、レポート入力中に表示される選択ウィンドウ１３０を示す。図８に示すレポート入力画面１００において、医療従事者が「各種コメント／使用スコープ／追加項目」の欄を選択すると、レポート入力画面１００上に、選択ウィンドウ１３０が重畳表示される。ここでは選択ウィンドウ１３０は、検査目的を入力するための画面として構成されている。
【００５５】
図１４は、選択ウィンドウ１３０内の項目が選択された様子を示す。ここでは、医療従事者が、検査目的として、「スクリーニング」を選択している。
【００５６】
入力受付部１６は、レポート入力画面１００における「スクリーニング」の選択入力を受け付けると、レポート記録部３４に記録するとともに、連携処理部２０に、レポート入力画面１００において「スクリーニング」の選択入力があったことを通知する。連携処理部２０は、連携設定テーブル４０を参照して、レポート入力画面１００における「スクリーニング」の項目に、研究データ入力画面１１０における項目が対応付けられているか調査する。ここでは、両方の「スクリーニング」項目が互いに対応付けられているため、連携処理部２０は、研究用データ記録部３６の「スクリーニング」の項目の状態値を、選択入力があったときの状態値に更新する。以上のように、連携処理部２０は、連携設定テーブル４０を参照して、一方のデータ入力画面において入力された情報を、他方のデータ入力画面において入力された情報として処理することで、医療従事者は、複数のデータ入力画面において、同一の項目に対するデータ入力の手間を軽減できるとともに、入力ミスの可能性も低減することができる。
【００５７】
図１５は、研究データ入力画面１１０を示す。図８に示すレポート入力画面１００において、表示ボタン１２０（または登録ボタン）が押されると、表示制御部１２は、記録部４４から研究データ入力画面生成プログラム３２を読み出して、実行する。図示されるように、検査目的の欄には、レポート入力画面１００において入力された「スクリーニング」が反映されている。たとえば、反映された情報は、編集不可に設定されて、レポート入力画面１００で入力された情報が、変更できないようにされてもよい。また、反映された情報を編集することで、レポート入力画面１００で入力された情報が変更できるようにしてもよい。いずれの場合であっても、レポート入力画面１００の入力情報を、研究データ入力画面１１０への入力情報に反映することで、医療従事者は、レポート入力画面１００に入力した情報を確認できるとともに、再度の入力を不要とするために、信頼性の高いデータ入力を支援することが可能となる。
【００５８】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００５９】
１・・・学術研究実行システム、１０・・・医療情報入力装置、１２・・・表示制御部、１４・・・判定部、１６・・・入力受付部、１８・・・テーブル作成部、２０・・・連携処理部、２２・・・取得部、２４・・・条件設定部、２８・・・ディスプレイ、３０・・・検査データ入力画面生成プログラム、３２・・・研究データ入力画面生成プログラム、３４・・・レポート記録部、３６・・・研究用データ記録部、３８・・・条件保持部、４０・・・連携設定テーブル、４２・・・マスタデータ記録部、４４・・・記録部。
【産業上の利用可能性】
【００６０】
本発明は、データ入力支援技術の分野に利用できる。
【図１】
2013018300.tif 000003
【図２】
2013018300.tif 000004
【図３】
2013018300.tif 000005
【図４】
2013018300.tif 000006
【図５】
2013018300.tif 000007
【図６】
2013018300.tif 000008
【図７】
2013018300.tif 000009
【図８】
2013018300.tif 000010
【図９】
2013018300.tif 000011
【図１０】
2013018300.tif 000012
【図１１】
2013018300.tif 000013
【図１２】
2013018300.tif 000014
【図１３】
2013018300.tif 000015
【図１４】
2013018300.tif 000016
【図１５】
2013018300.tif 000017
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
医療行為に関する情報を入力するための第１入力画面と、学術研究に関する情報を入力するための第２入力画面とを生成する表示制御部と、
第１入力画面および第２入力画面におけるユーザからの情報の入力を受け付ける入力受付部と、
第１入力画面および第２入力画面から入力された情報を記録する記録部と、
第２入力画面を生成する条件を保持する条件保持部と、
前記条件保持部に保持された条件が満たされたか否かを判定する判定部と、を備え、
前記判定部は、前記入力受付部が第１入力画面においてユーザから受け付けた情報が前記条件保持部に保持された条件を満たしたことを判定すると、前記表示制御部は、第１入力画面上に生成されている所定のボタンが押されたことを条件として、第２入力画面を生成することを特徴とする医療情報入力装置。
【請求項２】
前記表示制御部は、前記判定部が、前記条件保持部に保持された条件が満たされていることを判定すると、第２入力画面を表示するための表示ボタンを生成することを特徴とする請求項１に記載の医療情報入力装置。
【請求項３】
第１入力画面の表示中に前記判定部が、前記条件保持部に保持された条件が満たされたことを判定すると、前記表示制御部は、第１入力画面上に前記表示ボタンを表示させることを特徴とする請求項２に記載の医療情報入力装置。
【請求項４】
第１入力画面または第２入力画面のいずれか一方に入力された情報を、他方の入力情報として処理することを特徴とする連携処理部をさらに備えることを特徴とする請求項１に記載の医療情報入力装置。
【請求項５】
第１入力画面の入力項目と、第２入力画面の入力項目とを対応付けた連携設定テーブルをさらに備え、
前記連携処理部は、連携設定テーブルを参照して、第１入力画面または第２入力画面のいずれか一方に入力された情報を、他方の入力情報として処理することを特徴とする請求項４に記載の医療情報入力装置。
【請求項６】
前記条件保持部に保持されている条件を修正または変更できるようにする条件設定部をさらに備えることを特徴とする請求項１に記載の医療情報入力装置。
【手続補正２】
【補正対象書類名】明細書
【補正対象項目名】０００８
【補正方法】変更
【補正の内容】
【０００８】
上記課題を解決するために、本発明のある態様の医療情報入力装置は、医療行為に関する情報を入力するための第１入力画面と、学術研究に関する情報を入力するための第２入力画面とを生成する表示制御部と、第１入力画面および第２入力画面におけるユーザからの情報の入力を受け付ける入力受付部と、第１入力画面および第２入力画面から入力された情報を記録する記録部と、第２入力画面を生成する条件を保持する条件保持部と、条件保持部に保持された条件が満たされたか否かを判定する判定部と、を備える。判定部は、前記入力受付部が第１入力画面においてユーザから受け付けた情報が条件保持部に保持された条件を満たしたことを判定すると、表示制御部は、第１入力画面上に生成されている所定のボタンが押されたことを条件として、第２入力画面を生成する。
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
レポートを作成するために医療行為に関する情報を入力するための第１入力画面と、複数の医療施設が共同で行う学術研究に関する情報を入力するための第２入力画面とを表示するディスプレイと、
第１入力画面および第２入力画面におけるユーザからの情報の入力を受け付ける入力受付部と、
レポートを作成するために第１入力画面の入力項目に入力された情報を記録するレポート記録部と、
第２入力画面を生成する条件を保持する条件保持部と、
第１入力画面の入力項目と、第２入力画面の入力項目とを対応付けて記録する連携設定記録部と、
前記入力受付部が第１入力画面においてユーザから受け付けた情報が前記条件保持部に保持された条件を満たすか否かを判定する判定部と、
前記判定部が前記条件保持部に保持された条件が満たされていることを判定すると、第１入力画面上に所定のボタンを表示させ、この所定のボタンが押されたことを条件として、第２入力画面をディスプレイに表示させる表示制御部と、
学術研究に関する情報を記録する研究用データ記録部と、
前記入力受付部が第１入力画面において、前記連携設定記録部に記録された入力項目に入力された情報を受け付けると、この入力された情報を、前記連携設定記録部において第１入力画面の入力項目に対応付けられている第２入力画面の入力項目への入力情報として、前記研究用データ記録部に記録する連携処理部と、
を備えることを特徴とする医療情報入力装置。
【請求項２】
前記条件保持部に保持されている条件を修正または変更できるようにする条件設定部をさらに備えることを特徴とする請求項１に記載の医療情報入力装置。
【手続補正２】
【補正対象書類名】明細書
【補正対象項目名】０００８
【補正方法】変更
【補正の内容】
【０００８】
上記課題を解決するために、本発明のある態様の医療情報入力装置は、レポートを作成するために医療行為に関する情報を入力するための第１入力画面と、複数の医療施設が共同で行う学術研究に関する情報を入力するための第２入力画面とを表示するディスプレイと、第１入力画面および第２入力画面におけるユーザからの情報の入力を受け付ける入力受付部と、レポートを作成するために第１入力画面の入力項目に入力された情報を記録するレポート記録部と、第２入力画面を生成する条件を保持する条件保持部と、第１入力画面の入力項目と、第２入力画面の入力項目とを対応付けて記録する連携設定記録部と、前記入力受付部が第１入力画面においてユーザから受け付けた情報が前記条件保持部に保持された条件を満たすか否かを判定する判定部と、前記判定部が前記条件保持部に保持された条件が満たされていることを判定すると、第１入力画面上に所定のボタンを表示させ、この所定のボタンが押されたことを条件として、第２入力画面をディスプレイに表示させる表示制御部と、学術研究に関する情報を記録する研究用データ記録部と、前記入力受付部が第１入力画面において、前記連携設定記録部に記録された入力項目に入力された情報を受け付けると、この入力された情報を、前記連携設定記録部において第１入力画面の入力項目に対応付けられている第２入力画面の入力項目への入力情報として、前記研究用データ記録部に記録する連携処理部と、を備える。
【国際調査報告】
2013018300.tif 000018
2013018300.tif 000019